【事件の表示】
　上記当事者間の登録第２４２２６９５号商標の登録取消審判事件について、次のとおり審決する。
【結　論】
　本件審判の請求は、成り立たない。
　審判費用は、請求人の負担とする。
【理　由】
第１　本件商標
　本件登録第２４２２６９５号商標（以下「本件商標」という。）は、「クリスマスファンタジー」の片仮名と「ＣＨＲＩＳＴＭＡＳ ＦＡＮＴＡＳＹ」の欧文字とを上下二段に横書きしてなり、平成２年５月８日に登録出願、第２４類に属する商標登録原簿に記載のとおりの商品を指定商品として、平成４年６月３０日に設定登録され、その後、商標権の存続期間の更新登録がなされ、さらに、平成１５年９月２４日に第９類「家庭用テレビゲームおもちゃ，スロットマシン，ウェイトベルト，ウェットスーツ，浮袋，エアタンク，水泳用浮き板，レギュレーター，メトロノーム，レコード」、第２５類「仮装用衣服，運動用特殊衣服，運動用特殊靴（「乗馬靴」を除く。），乗馬靴」及び第２８類「おもちゃ，人形，囲碁用具，将棋用具，さいころ，すごろく，ダイスカップ，ダイヤモンドゲーム，チェス用具，チェッカー用具，手品用具，ドミノ用具，マージャン用具，遊戯用器具，ビリヤード用具，運動用具，釣り具」を指定商品とする書換登録がなされ、現に有効に存続しているものである。
　
第２　請求人の主張
　請求人は、「本件商標の指定商品中第９類『家庭用テレビゲームおもちゃ，スロットマシン，ウェイトベルト，ウェットスーツ，浮袋，エアタンク，水泳用浮き板，レギュレーター』、第２５類『運動用特殊衣服，運動用特殊靴（「乗馬靴」を除く。）』及び第２８類『おもちゃ，人形，囲碁用具，将棋用具，さいころ，すごろく，ダイスカップ，ダイヤモンドゲーム，チェス用具，チェッカー用具，手品用具，ドミノ用具，マージャン用具，遊戯用器具，ビリヤード用具，運動用具』について、その登録を取り消す、審判費用は被請求人の負担とする。」との審決を求め、その理由を要旨次のように述べ、証拠方法として、甲第１号証を提出した。
　本件商標は、継続して３年以上日本国内において、商標権者、専用使用権者又は通常使用権者のいずれによっても、上記審判請求に係る指定商品につき使用されていないものである。
　よって、本件商標の登録は、その指定商品中、上記審判請求に係る指定商品につき、商標法第５０条第１項の規定に基づき取り消されるべきものである。
　
第３　被請求人の答弁
　被請求人は、結論同旨の審決を求めると答弁し、その理由を要旨次のように述べ、証拠方法として、乙第１号証ないし乙第７号証（枝番を含む。）及び検乙第１号証ないし検乙第７号証を提出した。
１　理由
　商標権者は、本件審判の請求の登録前３年以内に継続して、本件商標と社会通念上同一の商標を付した本件審判請求に係る指定商品を販売している。
（１）商標権者の事業について
　商標権者は、クリスマス用品、サマー用品、各種ローソク、線香などを製造、販売している。その中には、後述の商品「クリスマスツリー用飾り」も含まれる。
（２）商標権者の製造販売商品「クリスマスツリー用飾り」について
　下記アないしキに係る商品は、「クリスマスツリー用飾り」に該当することは乙第１号証のカタログからも明らかであり、「クリスマスツリー用飾り」は、本件審判請求に係る指定商品のうち、「第２８類　おもちゃ、人形」に該当することは明らかである。
　ア　商標権者は、乙第１号証の３８ページ、乙第３号証の２７ページに示される商品で、検乙第１号証商品「プラボールカッパー／ゴールド６０ｍｍ（５ケ入）（１４５５４−ＰＢ０１６）」を、２０１０年１０月３０日付で元蔵株式会社に販売している（乙第５号証の１）ほか、２０１０年の出荷実績として、株式会社いない本部、株式会社アヤハディオ、福田律太郎商店、ホーマック株式会社関東エリア、有限会社リブライト名古屋支店、株式会社ユニサプライズに販売している（乙第４号証の１）。
　当該カタログには、当該商品の包装に、商標「ＣＨＲＩＳＭＡＳ　ＦＡＮＴＡＳＹ」が使用されているものが掲載されている。
　イ　被請求人は、乙第１号証の４３ページ、乙第２号証の１９ページ、乙第３号証のＮ９ページに示される商品で、検乙第２号証商品「スターモールワイヤーオーロラ（９４０４６−Ｍ３３４）」を、２０１０年１０月２５日付で株式会社ＬＩＸＩＬビバに販売している（乙第５号証の２）ほか、２０１０年の出荷実績として、株式会社いない本部、Ｒ．Ｏ．Ｕ、覚冨株式会社、株式会社ジョイフル本田、株式会社ダイエー、株式会社ＬＩＸＩＬビバ、株式会社バニーイヤー、元蔵株式会社、株式会社ユニサプライズに販売している（乙第４号証の２）。
　当該カタログには、当該商品の包装に、商標「Ｃｈｒｉｓｔｍａｓ　Ｆａｎｔａｓｙ」が使用されているものが掲載されている。
　ウ　商標権者は、乙第１号証の５５ページ、乙第２号証の２５ページ、乙第３号証の４３ページに示される商品で、検乙第３号証商品「プラベル（３ケ入）（１４６２６−ＯＮ１４１）」を、２０１０年１０月１３日付で株式会社ドンキホーテ輸入事業部に販売し（乙第５号証の３）、また、２０１０年７月２日付でミヤザキ食器株式会社本社からの発注書を受けている（乙第６号証の１）。その他、２０１０年の出荷実績として、株式会社イトーヨーカ堂本部、株式会社オンダ、株式会社いない本部、株式会社エスケーコーポレーション、株式会社アヤハディオ、株式会社アサヒプラザ、株式会社一号舘、覚冨株式会社、株式会社くろがねや、株式会社ジュンテンドー、等の取引先に販売している（乙第４号証の３及び乙第７号証）。
　当該カタログには、当該商品の包装に、商標「Ｃｈｒｉｓｔｍａｓ　Ｆａｎｔａｓｙ」が使用されているものが掲載されている。
　エ　商標権者は、乙第１号証の４３ページ、乙第３号証の３１ページに示される商品で、検乙第４号証商品「ビーズガーランドレッド（０４３０９−Ｍ０３３Ｒ）」を、２０１０年１０月１９日付でホームセンタージョイ本部に販売し（乙第５号証４）、また、２０１０年６月１７日付で株式会社バニーイヤーからの発注書を受けている（乙第６号証の２）。その他、２０１０年の出荷実績として、株式会社いない本部、株式会社アヤハディオ、ホームセンタージョイ本部、株式会社ジョイフルエーケー本部、株式会社バニーイヤー、福田律太郎商店ＳＳＯＫ、株式会社バロー本部、株式会社ユニサプライズに販売している（乙第４号証の４）。
　オ　商標権者は、乙第１号証の４４ページ、乙第３号証の３２ページに示される商品で、検乙第５号証商品「モール４インチ　ゴールド（９３２０２−Ｍ２６０）」を、２０１０年１０月２２日付で株式会社マイカル（現イオンリテール）に販売し（乙第５号証の５）、また、２０１０年８月６日付で株式会社パレからの発注書を受けている（乙第６号証の３）。その他、２０１０年の出荷実績として、株式会社イトーヨー力堂本部、株式会社オンダ、株式会社いない本部、株式会社エスケーコーポレーション、等の取引先に販売している（乙第４号証の５）。
　カ　商標権者は、乙第１号証の５１ページ、乙第３号証の３７ページに示される商品で、検乙第６号証商品「メタルスター　ツリートップＭ９ｃｍ（５９１２１−Ｍ０２１）」を、２０１０年１１月２７日付でアマゾンドットコム　インターナショナル　セールスインクに販売している（乙第５号証の６）ほか、２０１０年の出荷実績として、アマゾンドットコム　インターナショナル　セールスインク、株式会社そごう八王子店、株式会社バニーイヤー、ホーマック株式会社関東エリア、株式会社横浜そごう、元蔵株式会社に販売している（乙第４号証の６）。
　キ　商標権者は、乙第１号証の４７ページ、乙第３号証の３８ページに示される商品で、検乙第７号証商品「クリスマスプレートＷ　Ｍ２０ｃｍ（００１５８−ＯＭ３８０）」を、２０１０年の出荷実績として、覚冨株式会社、株式会社ジョイフルエーケー本部、株式会社バニーイヤー、株式会社ユニサプライズに販売している（乙第４号証の７）。
　ク　上記アないしキの販売日は、いずれも２０１０年であり、本件審判の請求の登録日前３年以内である。
（３）本件商標の使用について
　ア　商標権者は、上述のように、本件審判請求に係る指定商品に含まれる商品「クリスマスツリー用飾り」を製造し、それらを掲載したカタログ（乙第１号証ないし乙第３号証）を、既取引先や、被請求人のホームページ等を見て依頼のあった先に送付し、当該カタログに掲載された商品の販売の申し出を行ない（商標法第２条第３項第８号）、上述のように、実際に販売を行なっている（商標法第２条第３項第１号及び同第２号）。
（ア）乙第１号証のカタログには、表紙裏面に、当該カタログに掲載されている商品の商標が列挙されており、そこには「Ｃｈｒｉｓｔｍａｓ　Ｆａｎｔａｓｙ」の商標が記載されている。また、８６ページ「お客様へ」には、販売者名として、商標権者「東京ローソク製造株式会社」の名称が明記されている。当該カタログの使用時期として、表紙裏面に記載のとおり、２０１０年５月１日より有効であり、在庫終了となるまで使用される。
（イ）乙第２号証のカタログには、表紙裏面に、当該カタログに掲載されている商品の商標が列挙されており、そこには「Ｃｈｒｉｓｔｍａｓ　Ｆａｎｔａｓｙ」の商標が記載されている。また、３２ページ「お客様へ」には、販売者名として、商標権者「東京ローソク製造株式会社」の名称が明記されている。当該カタログの使用時期として、表紙裏面に記載のとおり、２００９年５月１日より有効であり、在庫終了となるまで使用される。
（ウ）乙第３号証のカタログには、表紙裏面目次ページの次のページに、当該カタログに掲載されている商品の商標が列挙されており、そこには「Ｃｈｒｉｓｔｍａｓ　Ｆａｎｔａｓｙ」の商標が記載されている。また、７２ページ「お客様へのお願い」には、販売者名として、商標権者「東京ローソク製造株式会社」の名称が明記されている。当該カタログの使用時期として、表紙裏面に記載のとおり、２００８年５月１日より有効であり、在庫終了となるまで使用される。
（エ）商標権者は、既取引先に対し、商品を展示してある名古屋支店のショール一ムで実際の商品を取引先に見せ（商標法第２条第３項第８号）、注文を受けている（商標法第２条第３項第１号及び同第２号）。
　イ　商標権者は、特に大手の取引先とは、ＥＤＩ（商取引に関する情報を標準的な書式に統一して、企業間で電子的に交換する仕組み）を採用し、ＥＯＳ（企業間のオンライン受発注システム）によって取引先と受発注を行なっているため、従来のような発注書、売上伝票等は扱っていない。よって、その替わりとなる乙第４号証の１ないし乙第４号証の７、及び乙第５号証の１ないし乙第５号証の６、及び乙第７号証が正式な書類となる。
　また、中小企業や問屋等の取引先で、上記システムを採用していない取引先や、被請求人ホームページ等を見て依頼のあった先に対しては、乙第１号証ないし乙第３号証のカタログを送付し、ＦＡＸにてオーダーシート（発注書、乙第６号証の１ないし乙第６号証の３）を受付けて販売をしている。
　ウ　商標権者は、商品の包装に、商標「ＣＨＲＩＳＴＭＡＳ　ＦＡＮＴＡＳＹ」（検乙第１号証）又は「Ｃｈｒｉｓｔｍａｓ　Ｆａｎｔａｓｙ」（検乙第２号証ないし検乙第７号証）を使用している。
　また、商品の包装には、当該商品の製造販売元として、被請求人の名称（東京ローソク製造株式会社）又は被請求人の英文名称「ＴＯＫＹＯ　ＣＡＮＤＬＥ　ＰＲＯＤＵＣＴ　ＣＯ．，ＬＴＤ．」が明記されている（検乙第１１号証ないし検乙第７号証）。
　また、商品の包装には、当該商品の「品番−型番」が必ず明記されている。乙第１号証ないし乙第３号証のカタログにおいても、各商品の「品番−型番」が明記され、裏表紙裏面のオーダーシートには「品番−型番」を記入するように明示されている。また、乙第４号証の１ないし乙第４号証の７、及び乙第５号証の１ないし乙第５号証の６、及び乙第７号証においても、当該「品番−型番」により商品が特定されている。
　また、乙第１号証５４、５５ページ、乙第２号証２５ページ、乙第３号証４２、４３ページに掲載されているとおり、ディスプレイボックス付きで販売されているオーナメント（クリスマスツリー用飾り）も販売しており、当該ディスプレイボックス（小売時販売用箱）には、商標「Ｃｈｒｉｓｔｍａｓ　Ｆａｎｔａｓｙ」及び被請求人を表示する「ＴＯＫＹＯ　ＣＡＮＤＬＥ　ＰＲＯＤＵＣＴ」の文字が明記されている。
　エ　本件商標は、上段に片仮名の「クリスマスファンタジー」と、下段にアルファベットの「ＣＨＲＩＳＴＭＡＳ　ＦＡＮＴＡＳＹ」を二段に横書きした構成である。本件商標中、下段の「ＣＨＲＩＳＴＭＡＳ　ＦＡＮＴＡＳＹ」は、上段の「クリスマスファンタジー」としか称呼することができず、上段と下段の観念も同一であることから、検乙第１号証で使用している商標「ＣＨＲＩＳＴＭＡＳ　ＦＡＮＴＡＳＹ」は、本件商標中下段の部分と同一であり、本件商標と社会通念上同一の商標といえるものである。
　また、乙第１号証ないし乙第３号証、及び検乙第２号証ないし検乙第７号証で使用している商標「Ｃｈｒｉｓｔｍａｓ　Ｆａｎｔａｓｙ」も同様に本件商標と社会通念上同一の商標といえるものである。
２　まとめ
　以上のとおり、本件商標は、本件審判の請求の登録前３年以内に日本国内において、商標権者により指定商品中「第２８類　おもちゃ、人形」に該当する「クリスマスツリー用飾り」について使用していることが明らかであるから、本件審判の請求は成り立たない。
　
第４　当審の判断
１　乙各第１号証ないし乙第７号証、検乙第１号証ないし検乙第７号証によれば、以下の事実が認められる。
（１）２０１０年５月１日より有効であり、返品受付期限が「２０１１年１月末日まで」と記載されている商標権者の「商品カタログ」（乙第１号証）中に、クリスマス用飾り用商品「プラボールカッパー／ゴールド６０ｍｍ（５ケ入）（１４５５４−ＰＢ０１６）」（以下「使用商品１」という。)、「スターモールワイヤーオーロラ（９４０４６−Ｍ３３４）」（以下「使用商品２」という。)、「プラベル（３ケ入）（１４６２６−ＯＮ１４１）」（以下「使用商品３」という。)、「ビーズガーランドレッド（０４３０９−Ｍ０３３Ｒ）」（以下「使用商品４」という。)、「モール４インチ　ゴールド（９３２０２−Ｍ２６０）」（以下「使用商品５」という。)、「メタルスター　ツリートップＭ９ｃｍ（５９１２１−Ｍ０２１）」（以下「使用商品６」という。)及び「クリスマスプレートＷ　Ｍ２０ｃｍ（００１５８−ＯＭ３８０）」（以下「使用商品７」という。上記の各商品をまとめて「使用商品」という。）が掲載されていることが認められる。
　また、２００９年５月１日より有効であり、返品受付期限が「２０１０年１月末日まで」と記載されている商標権者の「商品カタログ」（乙第２号証）中には、使用商品２及び使用商品３が掲載されていることが認められる。
　さらに、２００８年５月１日より有効であり、返品受付期限が「２００９年１月末日まで」と記載されている商標権者の「商品カタログ」（乙第３号証）中には、使用商品１ないし使用商品７が掲載されていることが認められる。
　そして、上記カタログに掲載されている使用商品１ないし使用商品３については、その写真の商品に「ＣＨＲＩＳＴＭＡＳ　ＦＡＮＴＡＳＹ」又は「Ｃｈｒｉｍａｓ　Ｆａｎｔａｓｙ」の商標が記載されている。
　また、検乙第１号証ないし検乙第７号証は、その品番から上記使用商品の実際の商品と認められるところ、いずれの商品についてもその包装に「ＣＨＲＩＳＴＭＡＳ　ＦＡＮＴＡＳＹ」又は「Ｃｈｒｉｍａｓ　Ｆａｎｔａｓｙ」の商標(以下これらを「使用商標」という。）が表示されている。
（２）乙第６号証の１は、ミヤザキ食器株式会社から、商標権者あての発注書であり、使用商品３について、２０１０年１０月２０日を納期として発注があったことが認められる。
　乙第６号証の２は、株式会社バニーイヤーから、商標権者あての発注書であり、使用商品４について、２０１０年１０月２５日を納期として同年６月１７日に発注があったことが認められる。
　乙第６号証の３は、株式会社パレから、商標権者あての発注書であり、使用商品５について、２０１０年１０月中旬を納期として同年８月６日に発注があったことが認められる。
２　以上によれば、商標権者は、使用商標を表示した使用商品１ないし使用商品３を掲載した前記各カタログを本件審判の請求の登録（平成２３年（２０１１年）４月１８日）前３年以内に使用したものと認められ、使用商標が包装に記載された使用商品３ないし使用商品５を２０１０年１０月ころを納期として販売したものと認められる。
　そして、商標権者の上記行為は、「商品又は商品の包装に標章を付する行為」、「商品又は商品の包装に標章を付したものを譲渡し、引き渡し、・・する行為」「商品若しくは役務に関する広告に・・標章を付して展示し、若しくは頒布し・・行為」（商標法第２条第３項第１号、同第２号、同第８号）に該当するものと認めることができる。
　また、使用商標「ＣＨＲＩＳＴＭＡＳ　ＦＡＮＴＡＳＹ」及び「Ｃｈｒｉｍａｓ　Ｆａｎｔａｓｙ」は、本件商標と社会通念上同一の商標と認められるものであり、使用商品は、いずれもクリスマス用の飾りに使用されるものであって、本件審判請求に係る商品中の第２８類「おもちゃ」の範ちゅうの商品と認められる。
　なお、請求人は、前記第３の被請求人の答弁に対し、何等弁駁するところがない。
３　むすび
　以上のとおり、被請求人は、商標権者が本件審判の請求の登録前３年以内に日本国内において、本件審判の請求に係る指定商品中の第２８類「おもちゃ」の範疇に属するものと認められるクリスマス用飾り用商品「プラボール」、「スターモールワイヤー」、「プラベル」等について、本件商標と社会通念上同一と認められる商標を使用していたことを証明したものというべきである。
　したがって、本件商標の登録は、請求に係る商品の区分第９類「家庭用テレビゲームおもちゃ，スロットマシン，ウェイトベルト，ウェットスーツ，浮袋，エアタンク，水泳用浮き板，レギュレーター」、第２５類「運動用特殊衣服，運動用特殊靴（「乗馬靴」を除く）」及び第２８類「おもちゃ，人形，囲碁用具，将棋用具，さいころ，すごろく，ダイスカップ，ダイヤモンドゲーム，チェス用具，チェッカー用具，手品用具，ドミノ用具，マージャン用具，遊戯用器具，ビリヤード用具，運動用具」について、商標法第５０条の規定により、取り消すべき限りでない。
　よって、結論のとおり審決する。